(57)【要約】【課題】角張りや隙間なく色々に組み合わせ配列して、色々な形状がスマートに形成可能なプランターを提供する。【解決手段】プランター１の底部に通水孔２を有し、花又は観賞用の植物を植設する一段式のプランターであって、平面視形状が扇形に形成されていることを特徴とし、該扇形の形状は、二つの直線辺４，４の長さが同一寸法であり、且つ二つの直線辺４，４の交角Ｓが直角に形成されたも一段式扇形プランターであり、複数組み合わせ配列したり、既存のプランターと組み合わせ配列することにより、色々な形状がスマートに表現できるようにしたものである。【選択図】図１
0003104813.tif 000002
【実用新案登録請求の範囲】
【請求項１】
底部に通水孔を有し、花又は観賞用の植物を植設する一段式のプランターにおいて、平面視形状が扇形に形成されてなることを特徴とする一段式扇形プランター。
【請求項２】
形成された扇形の形状は、二つの直線辺の長さが同一寸法で、且つ二つの直線辺の交角が直角に形成されてなることを特徴とする請求項１記載の一段式扇形プランター。
【考案の詳細な説明】
【技術分野】
【０００１】
本考案は、角張らずスマートに組み合わせ配列することのできる一段式扇形プランターに関するものである。
【背景技術】
【０００２】
観賞用の花や植物等を植設するプランターや鉢は、平面視形状が長方形、正方形、丸形が一般的であり、組み合わせ配列したり、寄せ植えしたりして異なる形状にできない問題点を有している。
上記問題点に鑑み、特許文献１には、自己の感性に合わせて色々に組み合わせて使用することのできるプランターとして、器体の平面より見た外形を三角形状に形成したことを特徴とするプランターが開示されており、特許文献２には、観賞用の植物をはじめ、草花等の園芸植物を寄せ植えするため、園芸植物を栽培する養生基材を収容し得る複数の凹部からなる分割栽培部を有する容器からなり、各収容凹部は、組み合わされた状態で単一の寄せ植え用植木鉢の収容空間とほぼ同形状になるように形状が設定されている園芸植物寄せ植え用容器が開示されている。
【特許文献１】実開平１−８２７４８号公報
【特許文献２】特開平１１−１１３４０４号公報
【考案の開示】
【考案が解決しようとする課題】
【０００３】
上記特許文献１に記載されるプランターは、器体の平面より見た外形が三角形状に形成されていることを特徴としており、三辺の角部が突き出るから、組み合わせ配列した時の角部が角張ったり、三角形の角度が異なれば組み合わせ部に隙間が生ずるなどの問題点を有し、特許文献２は、分割栽培部を有する各収容部が組み合わされた状態で単一の寄せ植え用植木鉢の収容空間とほぼ同形状になるように形状が設定されているから、例えば既存の他のプランターと組み合わせて使用することができない問題点を有する。
【課題を解決するための手段】
【０００４】
本考案は、上記問題点に鑑みてなされたもので、その解決手段は以下に述べるとおりである。
すなわち、底部に通水孔を有し、花又は観賞用の植物を植設する一段式のプランターにおいて、平面形状が扇形に形成されてなることを特徴とする一段式扇形プランターである。そして、その平面形状を扇形にすることにより、組み合わせ配列した時の形状が角張らず円弧状のスマートな形状にすることが可能となる。又、扇形の円弧辺が外側へ拡がるので形状が三角形に較べ、植設面積は広く取れる。
【０００５】
前記、形成された扇形の形状は、二つの直線辺の長さが同一寸法で、且つ二つの直線辺の交角が直角に形成されてなるのが望ましい。そうすることにより隙間なく配列して組み合わせるのに好都合であると共に、建物や階段等の角隅部に置いた時はうまくフィットしてすっきりする。
【考案の効果】
【０００６】
本考案は、底部に通水孔を有し、花又は観賞用の植物を植設する一段式のプランターにおいて、平面視形状が扇形に形成されてなることを特徴とする一段式扇形プランターであるから、組み合わせ配列した時の形状が角張らず円弧状のスマートな形状にできる効果を奏する。
【０００７】
又、扇形の円弧辺が外側へ拡がるので、三角形のプランターに較べ植設面積が広くとれることや、扇形の二つの直線辺の長さを同一寸法にし、且つ二つの直線辺の交角を直角することにより、隙間なく配列して組み合わせるのに好ましく、すっきりして見た目も良くなる。
【考案を実施するための最良の形態】
【０００８】
本考案を実施するための最良の形態は、底部に通水孔を有し、花又は観賞用の植物を植設する一段式のプランターにおいて、平面視形状が扇形に形成され、該扇形の形状は、二つの直線辺の長さが同一寸法で、且つ二つの直線辺の交角が直角に形成されたものであり、以下実施例にて図面に基づき説明する。
【実施例１】
【０００９】
図１は、本考案の実施例を示す図面で、（Ａ）は斜視図、（Ｂ）は縦断面図である。プランター１は、底部に通水孔２を有する一段式のプランターであって、平面視形状が扇形に形成され、開口凹部３の上端は外側へ折曲げ形成された直線辺４，４と円弧辺５とで周縁が形成されており、底部の周縁には、脚立６，６，…が立てられて底部の通水孔２が接地しないように配慮された形状となっている。
【００１０】
前記扇形に形成された形状は、二つの直線辺４，４を同一長さの寸法にして、直線辺４，４の交角Ｓが直角になるように形成された形状にすることにより、組み合わせた時の直線辺４，４の長さが一致し、段差や隙間をなくしてスマートな円形を形成するのに好ましく、すっきりして見た目も良くなる。
【００１１】
又、前記直線辺４，４の長さは、既存のプランターと組み合わせて使用する場合は、既存のプランターの組み合わせ辺の寸法に合わせて形成すれば良い。
【００１２】
上記の如く形成されるプランター１は、一般的には合成樹脂等の樹脂成型により形成されるのが望ましいが、これに限定されるものではない。
【００１３】
図２は、以上のようにしてなるプランター１に花７を植込んだ状態の縦断面図である。プランター１の底部には敷板８が敷設されて開口凹部３に土９が装填され、花７が植込んである。敷板８により水分が直接通水孔２より滴下しないようにしてあるが、必要でない時は敷板８使用しなくても良い。
【００１４】
次に、以上のようにしてなる本考案の組み合わせ配列例について以下に述べる。
実際は図２に示すように開口凹部３に花７又は観賞用の植込んだ状態での組み合わせ配列となるが、プランターのみの組み合わせ配列としてある。
【００１５】
図３は、本考案を複数組み合わせて配列した平面視形状の例を示すものであり、（ａ）は４個組み合わせて円形としたものあり、（ｂ）は２個組み合わせて半円形としたものである。直線辺４，４が同一長さの寸法で、且つ直線辺４，４，…の交角が直角であるから、組み合わせ配列した時の隙間が生じなく、円弧辺５，５，…も段差なく組み合わせることができて、（ａ）の組み合わせ配列は円形となり、（ｂ）の組み合わせ配列は半円形となって、段差や隙間なく組み合わされて角張らず円弧辺を有するスマートな形状が得られ、花又は観賞用の植物を植込んだ状態の見た目が良くなる。
【００１６】
図４は、長方形の既存のプランターと組み合わせて配列した平面視形状の例を示すものであり、（ａ）は長方形の既存のプランター１０の短辺両側に本考案を組み合わせて配列したもので、組み合わせる直線辺４，４は前記既存のプランター１０の短辺の長さと同一寸法になるようにしてあり、（ｂ）は長方形の既存のプランター１０の長辺両側に本考案を２個宛組み合わせて配列したもので、組み合わせる直線辺４，４，…は、二つのプランター１，１の直線辺４，４を足した長さが既存のプランター１０の長辺の長さと一致するようにしてある。
【００１７】
上記のように組み合わせ配列することにより、プランター１の円弧辺５，５と既存のプランター１０とが段差なく組み合わせることができて、円弧辺を有するスマート形状が得られ、花又は観賞用の植物を植込んだ状態の見た目が良くなる。
【００１８】
図５は、本考案を組み合わせ配列することなく単体で階段１１の角隅部に置いた時の例を示す斜視図で、実際は図２に示すように開口部３に花又は観賞用の植物を植込んだ状態での設置となるが、プランターのみの設置で図示してある。プランター１の直線辺４，４が階段１１の立上り面１１ａと側壁面１１ｂに隙間なく設置されると共に、円弧辺５が突き出ることなく設置できてすっきりした状態となる。
【産業上の利用可能性】
【００１９】
本考案は、花又は観賞用の植物を植込むためのプランターのみならず、トレーに配列する育苗ポットにも利用できる可能性があり、マンネリ化した形を変えてアピールするのに有用となる可能性がある。
【図面の簡単な説明】
【００２０】
【図１】本考案の実施例を示す図面で、（Ａ）は斜視図、（Ｂ）は側断面図である。
【図２】花を植込んだ状態の縦断面図である。
【図３】組み合わせ配列例を示す平面図である。
【図４】既存のプランターと組み合わせ配列例を示す平面図である。
【図５】単体での配置例を示す斜視図である。
【符号の説明】
【００２１】
１  プランター
２  通水孔
３  開口凹部
４  直線辺
５  円弧辺
６  脚立
７  花
８  敷板
９  土
１０  既存のプランター
１１  階段
１１ａ  立上り面
１１ｂ  側壁面
【図１】
0003104813.tif 000003
【図２】
0003104813.tif 000004
【図３】
0003104813.tif 000005
【図４】
0003104813.tif 000006
【図５】
0003104813.tif 000007